(57)【要約】【課題】金庫を、電子キーと金庫鍵とを用いて解錠する金庫装置において、金庫側の給電用ケーブルや電源等を無くすること。【解決手段】金庫の金庫扉に、該金庫扉に設けられた金庫錠を露呈及び遮蔽可能に覆うカバーロック６０が設けられる。電子キー７０が、カバーロック６０にセットされると、該カバーロック６０は、電子キー７０の電源部７６側からの給電を受けて、電子キー７０の照合動作及び金庫錠を露呈可能にする動作を行う。【選択図】        図６
2004360239.tif 000002
【特許請求の範囲】
【請求項１】
金庫錠が設けられた金庫扉を有する金庫と、
前記金庫扉に配設され前記金庫錠を露呈及び遮蔽可能に覆うカバーロックと、
前記カバーロックにセット可能な認証キーと、
を備え、
前記認証キーが前記カバーロックにセットされた状態で、前記認証キー側から前記カバーロック側に給電がなされて、前記認証キーの照合動作及び前記金庫錠を露呈させるための動作が行われる、金庫装置。
【請求項２】
請求項１記載の金庫装置であって、
前記認証キーは、
送信手段と、認証用の識別符号を記憶可能な記憶部を有し前記カバーロックにセットされることで前記送信手段を通じて認証用の識別符号を含む信号を送信するキー側制御部と、電源部と、前記電源部から外部へ給電を行うための給電部と、を備え、
前記カバーロックは、
前記金庫扉に固設されたベース部材と、前記金庫錠を露呈可能な位置と前記金庫錠を遮蔽可能な位置との間で移動自在なカバー部材と、前記カバー部材を前記遮蔽位置にロックする動作及びそのロック状態を解除するアンロック動作を行う施錠機構と、信号を受信する受信手段と、固有の識別符号を記憶した記憶部を有し前記受信手段を通じて受信された信号に含まれる認証用の識別符号が自己の固有の識別符号と一致している場合に前記施錠機構にアンロック動作を行わせる金庫側制御部と、前記認証キーがセットされた状態で前記給電部からの給電を受けて前記施錠機構及び前記金庫側制御部に給電するための受電部と、
を備える、金庫装置。
【請求項３】
請求項２記載の金庫装置であって、
前記送信手段は、光信号を送信可能な発光手段を含み、前記受信手段は、光信号を受信可能な受光手段を含む、金庫装置。
【請求項４】
金庫錠が設けられた金庫扉を有する金庫と、前記金庫扉に配設され前記金庫錠を露呈及び遮蔽可能に覆うカバーロックと、前記カバーロックにセット可能な認証キーと、を備えた金庫装置の制御方法であって、
前記認証キーを前記カバーロックにセットする工程と、
前記認証キー側から前記カバーロック側への給電路を確立する工程と、
前記給電路を介して給電を受けて、前記認証キーの照合を行う工程と、
前記給電路を介して給電を受けて、前記カバーロック側で前記金庫錠を露呈可能にする動作を行う工程と、
を含む、金庫装置の制御方法。
【請求項５】
金庫室と、
前記金庫室の入出部に設けられた入出扉と、
認証用の識別符号を書換え可能に記憶する認証キーを複数有し、利用者が所持するＩＤカードを読込んで、その読込んだＩＤカードに対応する認証用の識別符号を前記各認証キーのうちの一つに書込んでその認証キーを発行すると共に、前記ＩＤカードを返却し、さらに、前記各認証キーの発行状態を含む発行データを生成する認証キー発行制御手段と、
前記金庫室内に設けられ、前記認証キーに書込まれた認証用の識別符号に基づいて開閉可能な金庫と、
前記入出扉の内側に設けられ、利用者が退出するにあたってＩＤカードを読込むための退出カードリーダと、
退出しようとする利用者に対して、所定の情報を報知する報知手段と、
を備え、
前記キー発行制御手段は、前記退出カードリーダを通じて読込まれたＩＤカードに対して発行された認証キーが返却されたか否かを、前記発行データに基づいて判別し、未返却の場合に報知手段を通じて未返却である旨を報知する一方、返却済の場合に前記入出扉をアンロック状態にする、金庫システム。
【請求項６】
利用者が金庫室に進入するに際して、その利用者が所持するＩＤカードに基づいて認証キーを発行する工程と、
利用者が金庫室から退出するに際して、その利用者のＩＤカードを読込む工程と、
読込まれたＩＤに対して発行された認証キーが返却されたか否かを判別する工程と、
前記認証キーが返却済と判断されたときに、前記金庫室の入出部の扉をアンロック状態にする工程と、
前記認証キーが未返却と判断されたときに、その利用者に未返却である旨を報知する工程と、
を含む、金庫システムの制御方法。
【発明の詳細な説明】
【０００１】
【発明の属する技術分野】
この発明は、銀行等の貸金庫において、利用客だけで金庫室に入って金庫の扉を解錠及び施錠できるようにする技術に関する。
【０００２】
【従来の技術】
従来、この種の貸金庫装置として、特許文献１に開示のものがある。
【０００３】
この貸金庫装置では、貸金庫扉に、客錠が設けられると共に該客鍵を露呈可能に覆う銀行錠が設けられており、磁気カードを用いて該銀行錠を解錠するようになっている。
【０００４】
すなわち、銀行錠を解錠するにあたっては、予め選択励磁によってエンコード情報を付与した磁気カードが、利用者に貸与される。そして、利用者が磁気カードを銀行錠にセットすると、磁気カードの着磁力によって、銀行錠側の係止ピンが移動して、銀行錠側の摺動部材の係止が解除され、銀行錠が解錠される。この状態で、摺動部材をスライド移動させると、貸金庫扉の客鍵が露呈する。
【０００５】
また、上記貸金庫装置では、貸金庫室に入室するにあたって、顧客側が所有する貸金庫カードと引換えで、上記磁気カードが発行される。また、貸金庫使用後貸金庫室から退室するにあたっては、上記磁気カードと引換えで、貸金庫カードが返却されている。
【０００６】
【特許文献１】
特公平７−６５４１６号公報
【０００７】
【発明が解決しようとする課題】
上述のような貸金庫装置では、磁気カードの着磁力によって銀行錠を解錠するようにしているため、例えば、銀行錠側に、電気的な解錠機構を設ける必要がなく、従って、解錠機構用の給電用ケーブルや電源等を銀行錠側に設置する必要がないという利点がある。
【０００８】
しかしながら、磁気カードを利用する構成であるため、その磁気カードを持運んでいるときに、磁力によって、他のカードの磁気データを消去してしまう等、他の機器類に悪影響を及す恐れがある。
【０００９】
また、上記貸金庫装置では、貸金庫室に入室するにあたって貸金庫カードを一旦預けこれと引換えに磁気カードを受取り、退室するにあたっては逆に磁気カードを対応する貸金庫カードに引換える構成であるため、退室に際して磁気カードの返却し忘れを防止できるものの、磁気カードと引換えに貸金庫カードを預る構成であるため、複数の貸金庫カード或は磁気カードを取扱うことは難しい。
【００１０】
そこで、この発明は、金庫側において給電用ケーブルや電源等を無くせることを、第１の課題としている。また、この発明は、磁気カードを利用することなく金庫を解錠できることを、第２の課題としている。さらに、この発明は、複数の認証キーを容易に発行管理することができ、かつ、金庫設備から退出するにあたって、当該金庫設備内で使用される認証キーの返却し忘れを防止できることを第３の課題としている。
【００１１】
【課題を解決するための手段】
上記課題を解決すべく、請求項１記載の金庫装置は、金庫錠が設けられた金庫扉を有する金庫と、前記金庫扉に配設され前記金庫錠を露呈及び遮蔽可能に覆うカバーロックと、前記カバーロックにセット可能な認証キーと、を備え、前記認証キーが前記カバーロックにセットされた状態で、前記認証キー側から前記カバーロック側に給電がなされて、前記認証キーの照合動作及び前記金庫錠を露呈させるための動作が行われるものである。
【００１２】
この場合、請求項２記載のように、前記認証キーは、送信手段と、認証用の識別符号を記憶可能な記憶部を有し前記カバーロックにセットされることで前記送信手段を通じて認証用の識別符号を含む信号を送信するキー側制御部と、電源部と、前記電源部から外部へ給電を行うための給電部と、を備え、前記カバーロックは、前記金庫扉に固設されたベース部材と、前記金庫錠を露呈可能な位置と前記金庫錠を遮蔽可能な位置との間で移動自在なカバー部材と、前記カバー部材を前記遮蔽位置にロックする動作及びそのロック状態を解除するアンロック動作を行う施錠機構と、信号を受信する受信手段と、固有の識別符号を記憶した記憶部を有し前記受信手段を通じて受信された信号に含まれる認証用の識別符号が自己の固有の識別符号と一致している場合に前記施錠機構にアンロック動作を行わせる金庫側制御部と、前記認証キーがセットされた状態で前記給電部からの給電を受けて前記施錠機構及び前記金庫側制御部に給電するための受電部と、を備えていてもよい。
【００１３】
また、請求項３記載のように、前記送信手段は、光信号を送信可能な発光手段を含み、前記受信手段は、光信号を受信可能な受光手段を含むものであってもよい。
【００１４】
また、請求項４記載の金庫装置の制御方法は、金庫錠が設けられた金庫扉を有する金庫と、前記金庫扉に配設され前記金庫錠を露呈及び遮蔽可能に覆うカバーロックと、前記カバーロックにセット可能な認証キーと、を備えた金庫装置の制御方法であって、前記認証キーを前記カバーロックにセットする工程と、前記認証キー側から前記カバーロック側への給電路を確立する工程と、前記給電路を介して給電を受けて、前記認証キーの照合を行う工程と、前記給電路を介して給電を受けて、前記カバーロック側で前記金庫錠を露呈可能にする動作を行う工程と、を含むものである。
【００１５】
また、請求項５記載の金庫システムは、金庫室と、前記金庫室の入出部に設けられた入出扉と、認証用の識別符号を書換え可能に記憶する認証キーを複数有し、利用者が所持するＩＤカードを読込んで、その読込んだＩＤカードに対応する認証用の識別符号を前記各認証キーのうちの一つに書込んでその認証キーを発行すると共に、前記ＩＤカードを返却し、さらに、前記各認証キーの発行状態を含む発行データを生成する認証キー発行制御手段と、前記金庫室内に設けられ、前記認証キーに書込まれた認証用の識別符号に基づいて開閉可能な金庫と、前記入出扉の内側に設けられ、利用者が退出するにあたってＩＤカードを読込むための退出カードリーダと、退出しようとする利用者に対して、所定の情報を報知する報知手段と、を備え、前記キー発行制御手段は、前記退出カードリーダを通じて読込まれたＩＤカードに対して発行された認証キーが返却されたか否かを、前記発行データに基づいて判別し、未返却の場合に報知手段を通じて未返却である旨を報知する一方、返却済の場合に前記入出扉をアンロック状態にするものである。
【００１６】
さらに、請求項６記載の金庫システムの制御方法は、利用者が金庫室に進入するに際して、その利用者が所持するＩＤカードに基づいて認証キーを発行する工程と、利用者が金庫室から退出するに際して、その利用者のＩＤカードを読込む工程と、読込まれたＩＤに対して発行された認証キーが返却されたか否かを判別する工程と、前記認証キーが返却済と判断されたときに、前記金庫室の入出部の扉をアンロック状態にする工程と、前記認証キーが未返却と判断されたときに、その利用者に未返却である旨を報知する工程と、を含むものである。
【００１７】
【発明の実施の形態】
以下、この発明の実施の形態に係る金庫装置及び金庫システムについて説明する。なお、本実施の形態では、銀行の貸金庫設備に適用された形態について説明する。
【００１８】
＜金庫システムの全体構成＞
まず、金庫システムの全体構成について説明する。
【００１９】
図１は金庫システム全体を示す概略平面図であり、図２は金庫システム全体の電気的構成を示すブロック図である。
【００２０】
この金庫システムは、金庫室１０と金庫前室１２と監視室１４とを備える貸金庫設備に組込まれる。金庫室１０内には、複数の金庫２０が配設されている。金庫前室１２内には、キー発行制御装置３０及び退室カードリーダ５０が設けられており、金庫前室１２の前室入出口１３ａの外方に入室カードリーダ５５が設けられている。また、監視室１４には、本金庫システムの全体制御を行うセンターコンピュータ４０が設置されている。
【００２１】
この金庫システムの概略的な使用方法について説明しておく。本金庫システムの利用者に対しては、貸金庫鍵１８と貸金庫カード１９（ＩＤカード）とが貸与されている。利用者が本金庫システムを利用するにあたっては、まず、貸金庫カード１９を入室カードリーダ５５に読込ませて、前室入出口１３ａの金庫入出扉１３をアンロックさせた後、金庫前室１２内のキー発行制御装置３０前に移動する（図１の矢符ａ参照）。次に、利用者は、貸金庫カード１９をキー発行制御装置３０に読込ませると共に、所定の暗証番号を入力し、キー発行制御装置３０から発行される電子キー７０（認証キー）を受取ると共に、返却された貸金庫カード１９を受取る。この後、利用者は、金庫室１０内の所定の金庫２０前に移動する（図１の矢符ｂ参照）。そして、電子キー７０及び貸金庫鍵１８を用いて所定の金庫２０を利用する。この後、利用者は、金庫室１０を退出し、金庫前室１２内のキー発行制御装置３０前に移動し（図１の矢符ｃ参照）、電子キー７０を返却する。最後に、退室カードリーダ５０前に移動し（図１の矢符ｄ参照）、貸金庫カード１９を退室カードリーダ５０に読込ませて金庫入出扉１３をアンロックさせて、金庫前室１２より退出する（図１の矢符ｅ参照）。
【００２２】
金庫システムの各構成要素についてより具体的に説明する。
【００２３】
利用者が所持する貸金庫鍵１８は、金庫２０の金庫扉を機械的な機構によって開閉するための鍵である。また、貸金庫カード１９は利用客に関する客情報を記録可能なカードであり、ここでは、磁気的方法にて当該情報を記録した磁気カードを用いている。勿論、磁気カードの代りに、ＩＣカード等を用いてもよい。また、指紋や網膜で利用客を認識する構成であってもよい。
【００２４】
キー発行制御装置３０は、コンピュータ本体部３２と、表示入力部３６と、電子キー発行ボックス３８と、カードリーダ３９とを備えている。
【００２５】
コンピュータ本体部３２は、ＣＰＵ、ＲＯＭ、ＲＡＭ及びハードディスク等によって構成される一般的なコンピュータによって構成されており、後述するように電子キー７０の発行管理等を行う発行制御部３３としての機能と、電子キー７０の発行状態に関する情報等を記憶した記憶部３４としての機能を備えている。
【００２６】
なお、このコンピュータ本体部３２が持つ機能は、物理的に一つの制御手段により実現される必要はなく、複数の制御手段に分割されて実現されていてもよい。
【００２７】
表示入力部３６は、コンピュータ本体部３２からの諸情報を表示すると共にコンピュータ本体部３２に対する諸入力（例えば、暗証番号の入力）を受ける手段であり、例えば、液晶表示パネルの表示画面にタッチパネルを配設した構成によって実現されている。
【００２８】
電子キー発行ボックス３８は、複数の電子キー７０を、周知の機械的なロック手段を用いて個別にロック及びアンロック可能に収容する。また、電子キー発行ボックス３８は、各電子キー７０を収容した状態で、各電子キー７０との間で双方向光通信を行って上記発行制御部３３からの指令に応じて各電子キー７０に対して認証用の識別符号の書込み・消去等を行うと共に、各電子キー７０の電源部７６を充電する機能を有している。
【００２９】
カードリーダ３９は、利用者がそのカード挿入口に貸金庫カード１９を挿入することで、その貸金庫カード１９に記録された客情報を読取り、その読取ったデータをコンピュータ本体部３２に送信する。
【００３０】
なお、このキー発行制御装置３０を複数設けてもよい。これにより、より多数の電子キー７０の発行管理を行える。
【００３１】
また、このキー発行制御装置３０は、監視室１４に設けられたセンターコンピュータ４０に通信可能に接続されている。
【００３２】
センターコンピュータ４０は、ＣＰＵやＲＯＭ、ＲＡＭ、ハードディスク、キーボード、ディスプレイ装置等を含む一般的なコンピュータシステムによって構成されており、本金庫システム全体を管理するシステム制御部４１としての機能と、貸金庫カード１９に記憶された客情報と暗証番号と金庫２０の識別符号との対応付け情報を含む顧客管理データを記憶した記憶部４２としての機能を有している。
【００３３】
また、退室カードリーダ５０及び入室カードリーダ５５は、貸金庫カード１９を読取るための装置であり、読取った客情報をコンピュータ本体部３２に向けて送信する。
【００３４】
報知部５８は、例えば、蛍光灯表示器等を用いた表示手段等により構成されており、上記発行制御部３３からの指令に基づいて電子キー７０が未返却である旨を表示する。報知部５８としては、上述のような表示手段の他、音声等により電子キー７０が未返却である旨を報知する手段であってもよい。
【００３５】
扉ロック機構５２は、モータ等のアクチュエータ等を含む扉ロック手段であり、上記発行制御部３３からの指令に基づいて、金庫前室１２の前室入出口１３ａに設けられた金庫入出扉１３をロック或はアンロック状態にする。なお、金庫入出扉１３を自動で開閉するようにしてもよい。
【００３６】
金庫室１０内には、複数の金庫２０が配設されている。各金庫２０は、電子キー７０及び貸金庫鍵１８を用いて解錠、施錠を行って開閉できるようになっている。これらの構成については、後に詳述する。
【００３７】
このように構成された金庫システムの動作について図３及び図４のフローチャートを参照して説明する。
【００３８】
まず、利用者が本金庫システムを利用するにあたって、貸金庫カード１９を入室カードリーダ５５の読取口に挿入する。これにより、ステップＳ１において、入室カードリーダ５５にて、貸金庫カード１９の客情報が読取られる。
【００３９】
ステップＳ２において、キー発行制御装置３０は、入室カードリーダ５５を通じて読取られた貸金庫カード１９の客情報について、センターコンピュータ４０に保存された顧客管理データに基づいて照合を行う。その結果、顧客管理データに登録された正規な貸金庫カード１９でないと判別された場合（ＮＧ）には、処理を終了する。一方、顧客管理データに登録された正規な貸金庫カード１９であると判断されたとき（ＯＫ）には、ステップＳ３に進み、扉ロック機構５２により金庫入出扉１３をアンロック状態にする。これにより、利用者は、金庫入出扉１３を開いて金庫前室１２内に入室する。
【００４０】
次に、利用者は、キー発行制御装置３０に設けられたカードリーダ３９のカード挿入口に貸金庫カード１９を挿入する。これにより、ステップＳ４において、貸金庫カード１９の読取りが行われる。続いて、ステップＳ５において、利用者による暗証番号の入力を受付ける。
【００４１】
そして、ステップＳ６において、キー発行制御装置３０は、センターコンピュータ４０との間で通信を行い、顧客管理データに基づいて該貸金庫カード１９の照合を行うと共に、該貸金庫カード１９の客情報に対応する暗証番号を特定し、上記入力された暗証番号が前記特定された暗証番号と一致しているか否かを判別して当該暗証番号の照合を行う。照合結果が不適合（ＮＧ）の場合には、処理を終了する。
【００４２】
一方、照合結果が適合（ＯＫ）した場合には、ステップＳ７に進み、キー発行制御装置３０は、センターコンピュータ４０との間で通信を行い、顧客管理データに基づいて該客情報に対応する金庫２０の識別符号を特定し、承認用の識別符号を複数の電子キー７０のうち１つの電子キー７０に登録する。
【００４３】
登録が終了すると、ステップＳ８において、登録した電子キー７０の発光部７９ａ〜７９ｃ（後述する）を適宜発光させて、登録を行った電子キー７０の発光案内表示を行う。続いて、ステップＳ９において、該登録した電子キー７０のロックを解除し、取出し可能な状態にする。この後、ステップＳ１０において、貸金庫カード１９を排出する。これらステップＳ８〜Ｓ１０において、利用者は電子キー７０及び貸金庫カード１９を受取る。
【００４４】
そして、ステップＳ１１において、キー発行制御装置３０が、例えば、該電子キー７０との通信成否状態等に基づいて、登録した電子キー７０の取出しを認識し、客情報と電子キー７０の発行の有状態とを対応づけた発行データを生成（更新を含む）し、これを記憶部３４に記憶させる。
【００４５】
この後、ステップＳ１２において、利用者は、金庫室１０内に入室し、上記電子キー７０及び貸金庫鍵１８を用いて金庫２０の利用を行う。これら電子キー７０及び貸金庫鍵１８を用いて金庫２０を利用するための構成等については、後に詳述する。
【００４６】
次に、ステップＳ１３において、電子キー発行ボックス３８における電子キー７０との通信状況等に基づいて、電子キー７０の返却受付がなされたか否かが判断される。ここで、利用客が金庫前室１２内に戻った後キー発行制御装置３０に対して電子キー７０の返却を行った場合には、電子キー７０の返却受付がなされたと判断されることになり、ステップＳ１４に進む。ステップＳ１４では、電子キー７０の返却受付を行い、ステップＳ１５において、客情報と電子キー７０の発行の無し状態とを対応づけた発行データを生成（更新を含む）し、これを記憶部３４に記憶させる。
【００４７】
続いて、ステップＳ１６において、電子キー７０をロックして取出し不能状態にし、ステップＳ１７において、電子キー７０の電源部７６に対する充電を開始する。
【００４８】
次に、利用客により貸金庫カード１９が退室カードリーダ５０の読取口に挿入されると、ステップＳ１８において、退室カードリーダ５０にて、貸金庫カード１９の読取りを行う。そして、ステップＳ１８において、キー発行制御装置３０は、退室カードリーダ５０を通じて読取られた貸金庫カード１９の客情報について、センターコンピュータ４０に保存された顧客管理データに基づいて照合を行うと共に、発行データに基づいて対応する電子キー７０が返却されたか否かを確認する。その結果、貸金庫カード１９に関する照合が適合し、かつ、対応する電子キー７０が返却されていると判断されたときには、ステップＳ２０に進んで、扉ロック機構５２により金庫入出扉１３をアンロック状態にする。これにより、利用者は、金庫入出扉１３を開いて金庫前室１２から外に退室する。一方、ステップＳ１９において、貸金庫カード１９の照合が不適合（ＮＧ）である場合には、金庫入出扉１３をロック状態にしたまま、処理を終了する。
【００４９】
一方、ステップＳ１３において、電子キー７０の返却無き場合、すなわち、利用者が電子キー７０をキー発行制御装置３０に返却することなく、利用客が貸金庫カード１９を退室カードリーダ５０の読取口に挿入したときには、ステップＳ１４からステップＳ１８を経ることなく、ステップＳ１９に進む。そして、ステップＳ１９において、対応する電子キー７０が返却されていないと判断され、ステップＳ２１に進む。ステップＳ２１で、報知部５８を通じて返却忘れを表示して、電子キー７０の返却を促し、ステップＳ１３に戻り、以下の処理を繰返す。
【００５０】
このように構成された金庫システムによると、キー発行制御装置３０において、利用者が所持する貸金庫カード１９を一旦預ることなく、金庫室１０で利用される電子キー７０を発行しているため、電子キー７０の利用中においてキー発行制御装置３０側で貸金庫カード１９を管理する必要がない。このため、複数の電子キー７０を容易に発行管理することができる。このため、複数人の同時利用管理が容易である。
【００５１】
また、利用者が、退出するにあたって、電子キー７０が未返却の場合には、金庫入出扉１３をロック状態にしたまま、報知部５８を通じて未返却である旨を報知しているので、電子キー７０の返却し忘れを防止することができる。
【００５２】
＜金庫装置＞
上記電子キー７０及び貸金庫鍵１８を用いて金庫扉２２を開閉する金庫装置の構成について説明する。
【００５３】
図５は金庫装置を示す正面図であり、図６は金庫装置の電気的構成を示すブロック図である。
【００５４】
この金庫装置は、金庫扉２２を有する金庫２０と、金庫扉２２に取付けられたカバーロック６０と、電子キー７０とを備えている。
【００５５】
金庫２０は、格納空間を有する金庫本体部と、その格納空間の開口部に開閉自在に取付けられた金庫扉２２とを有している。金庫扉２２には、機械的な機構によって該金庫扉２２をロック又はアンロックする金庫錠２３が組込まれている。この金庫錠２３の鍵穴２３ｈは、金庫扉２２の表面側に開孔するように形成されており、上記貸金庫鍵１８を鍵穴２３ｈに差込んで所定方向に回すことで、金庫錠２３がロック又はアンロックされる。
【００５６】
カバーロック６０は、電子キー７０側からの給電を受けて、電子キー７０の照合動作及び金庫錠２３を露呈可能にする動作を行う。なお、ここで、金庫錠２３を露呈させるとは、金庫錠２３のうち解錠及び施錠のために外部からアクセスすることが必要とされる部分を露呈させることを意味しており、本実施の形態では、鍵穴２３ｈを露呈させることを意味している。
【００５７】
より具体的には、カバーロック６０は、ベース部材６１と、カバー部材６２と、施錠機構６４と、送受信部６５と、金庫側制御部６６と、受電部６８とを備えている。
【００５８】
ベース部材６１は、金庫扉２２の表面側に取外不能に固設されており、カバー部材６２を移動自在に支持している。このベース部材６１には、鍵穴２３ｈを外部に露呈させるための穴部６１ｈが形成されている。
【００５９】
カバー部材６２は、ベース部材６１に対して、図５の矢符Ａ方向に沿って往復移動自在に支持されており、上記穴部６１ｈ内の鍵穴２３ｈを露呈可能な露呈位置（図５参照）と、該鍵穴２３ｈを遮蔽可能な遮蔽位置との間で移動する。このカバー部材６２には、電子キー７０をセット可能なセット部６３が設けられており、電子キー７０を図５の矢符Ｂに示す方向にスライド挿入することで、電子キー７０がセット部６３にセットされる。
【００６０】
施錠機構６４は、カバー部材６２をロック又はアンロックするための機構であり、電子キー７０の電源部７６からの給電を受けてソレノイド６４ａを駆動させることにより、上記カバー部材６２側の被係合部（図示省略）とベース部材側の係合部（図示省略）とを係脱させて、カバー部材６２をロック状態（移動不可能な状態）又はアンロック状態（移動可能な状態）にする。
【００６１】
送受信部６５は、発光ダイオード等の発光素子及びフォトダイオード等の受光素子との組合せにより構成されている。そして、電子キー７０を上記セット部６３にセットすることで、本送受信部６５と電子キー７０側の送受信部７２との間で双方向光通信が可能となる。
【００６２】
受電部６８は、外部に露出する一対の端子により構成されている。そして、電子キー７０を上記セット部６３にセットすることで、この受電部６８と、電子キー７０側の給電部７８との間で電気的な接続がなされ、電源部７６から金庫側制御部６６やソレノイド６４ａへの給電経路が確立可能な状態となる。なお、給電部７８から受電部６８に非接触給電が行われる構成であってもよい。
【００６３】
金庫側制御部６６は、ＣＰＵ、ＲＯＭおよびＲＡＭ等を備える一般的なマイクロコンピュータにより構成され、その演算動作はすべて予め格納されたソフトウェアプログラムによって実行される要素である。この金庫側制御部６６は、固有の識別符号を記憶したＩＤ記憶部６６ａを有しており、電子キー７０がセット部６３にセットされると、該電子キー７０との間で双方向光通信を行い、送受信部６５を通じて受信された信号に含まれる認証用の識別符号が自己の固有の識別符号と一致するか否かを判別し、両符号が一致している場合に、上記ソレノイド６４ａへの給電回路に介挿されたスイッチ部６５ｂをオン状態にして、ソレノイド６４ａを駆動させてカバー部材６２をアンロック状態にする。その他の場合には、スイッチ部６５ｂをオフ状態にして、カバー部材６２をロック状態にする機能を有している。
【００６４】
電子キー７０は、略方形板状の外観形状を有しており、送受信部７２と、キー側制御部７４と、電源部７６と、給電部７８と、発光部７９ａ〜７９ｃとを有している。
【００６５】
送受信部７２は、発光ダイオード等の発光素子及びフォトダイオード等の受光素子との組合せにより構成されている。そして、電子キー７０を上記セット部６３にセットすることで、本送受信部６５と電子キー７０側の送受信部７２との間で双方向光通信が可能となる。また、電子キー７０を電子キー発行ボックス３８にセットした状態では、この送受信部７２と、電子キー発行ボックス３８内の送受信部との間で双方向光通信が行われる。
【００６６】
電源部７６は、充電池であり、キー側制御部７４や発光部７９ａ〜７９ｃ等の電源として機能すると共に、電子キー７０がセット部６３にセットされた状態では、金庫側制御部６６及びソレノイド６４ａへの電源として機能する。なお、電源部７６としては、一般的な一次電池を用いてもよく、この場合には、電子キー発行ボックス３８での充電は不要となる。
【００６７】
給電部７８は、外部に露出する一対の端子により構成されている。そして、電子キー７０を上記セット部６３にセットすることで、給電部７８と受電部６８とが電気的に接続される。また、電子キー７０を電子キー発行ボックス３８にセットした状態では、給電部７８は充電用の端子に電気的に接続され、電源部７６への充電がなされる。
【００６８】
発光部７９ａ〜７９ｃは、発光ダイオード等の発光素子により構成されており、キー側制御部７４の制御に基づく発行態様によって、金庫２０の解錠及び施錠に伴う諸状態を表示する。例えば、発光部７９ａの点灯により電子キー発行ボックス３８において認証用識別符号が登録されたものであることを案内表示し、発光部７９ｂの点灯により電子キー７０がセット部６３にセットされた旨を表示し、発光部７９ｂの点灯及び点滅により、上記金庫側制御部６６における認証が適合か不適合かを表示する。
【００６９】
キー側制御部７４は、ＣＰＵ、ＲＯＭおよびＲＡＭ等を備える一般的なマイクロコンピュータにより構成され、その演算動作はすべて予め格納されたソフトウェアプログラムによって実行される要素である。このキー側制御部７４は、認証用の識別符号を書換え可能に記憶する認証ＩＤ記憶部７４ａを有している。そして、電子キー７０を電子キー発行ボックス３８にセットした状態では、上記送受信部７２を通じて電子キー発行ボックス３８内の送受信部との間で双方向光通信を行い、該認証ＩＤ記憶部７４ａに認証用の識別符号を登録する。また、電子キー７０をセット部６３にセットした状態では、上記送受信部７２を通じて、カバーロック６０との間で双方向光通信を行って、認証用の識別符号を含む信号を送信する。
【００７０】
このように構成された金庫装置の動作について図７のフローチャートを参照して説明する。
【００７１】
まず、ステップＳ３０において、利用者が発行された電子キー７０をセット部６３にセットする。
【００７２】
これにより、ステップＳ３１において、電子キー７０の電源部７６からカバーロック６０側への電源供給が開始されると共に、発光部７９ａ〜７９ｃにより正常にセットされた旨のセット状態が表示される。
【００７３】
続いて、ステップＳ３２において、電子キー７０とカバーロック６０との間で光通信が行われ、電子キー７０に登録された認証用の識別符号がカバーロック６０に送信される。そして、ステップＳ３３で、金庫側制御部６６において、ＩＤの照合、即ち、認証用の識別符号が自己の固有の識別符号と一致するか否かが判別される。その結果、認証が不適合である場合には、ステップＳ３８に進んで、発光部７９ａ〜７９ｃにより不適合である旨を表示する。
【００７４】
一方、認証結果が適合である場合には、ステップＳ３４に進む。ステップＳ３４では、金庫側制御部６６は、スイッチ部６５ｂをオン制御して、施錠機構６４を所定時間（例えば数十秒程度）アンロック状態にすると共に、発光部７９ａ〜７９ｃにより認証適合状態である旨を表示する。これにより、カバー部材６２は露呈位置に移動可能な状態となる。
【００７５】
この後、ステップＳ３６に示すように、利用者は、カバー部材６２を露呈位置に移動させて、貸金庫鍵１８を鍵穴２３ｈに差込んで所定方向に回転させて、金庫錠２３を解錠する。そして、金庫扉２２を開いて、所望の物品の格納、取出し等を行う。
【００７６】
金庫２０に対する作業が終了すると、ステップＳ３７に示すように、利用者は、金庫扉２２を閉じた後、貸金庫鍵１８を回転させて金庫錠２３を施錠し、貸金庫鍵１８を鍵穴２３ｈから引抜く。そして、カバー部材６２を遮蔽位置に移動させる。
【００７７】
最後に、ステップＳ３７に示すように、電子キー７０をセット部６３から取外して、動作を終了する。
【００７８】
以上のように構成された金庫装置によると、電子キー７０側からの給電を受けて、電子キー７０の照合動作及び金庫錠２３を露呈可能にする動作を行うため、金庫２０側において給電用ケーブルや電源等を無くすることが可能となる。
【００７９】
しかも、電子キー７０に発光部７９ａ〜７９ｃによる表示機能を持たせているので、金庫２０側において状態表示用の給電用ケーブルや電源等を無くすることが可能となる。
【００８０】
なお、本実施の形態では、カバーロック６０側で電子キー７０の照合動作を行っているが、カバーロック６０側から電子キー７０側に向けて固有の識別符号を含む信号を送信し、カバーロック６０側で照合動作を行って、その結果をカバーロック６０側に送信するようにしてもよい。
【００８１】
また、電子キー７０からカバーロック６０側に光信号を送信することで、電子キー７０の照合を行っている。このため、磁気カードを用いることなく、金庫を解錠することができる。
【００８２】
【発明の効果】
上記第１の課題を達成するため、この発明の請求項１記載の金庫装置によると、カバーロックは、認証キーからの給電を受けて、認証キーの照合動作及び金庫錠を露呈させるための動作を行うため、金庫側において給電用ケーブルや電源等を無くすことが可能となる。
【００８３】
また、請求項２記載の発明によれば、認証キーをカバーロックにセットすることで、認証キー側の電源部からカバーロック側の施錠機構及び金庫側制御部に給電が行われ、認証用の識別符号と固有の識別符号とが一致している場合に、前記施錠機構がアンロック動作を行い、金庫錠が露呈可能な状態となる。
【００８４】
さらに、上記第２の課題を達成するため、請求項３記載の発明によれば、認証キーからカバーロック側に光信号を送信することで、認証キーの照合を行っている。このため、磁気カードを用いることなく、金庫を解錠することができる。
【００８５】
また、上記第１の課題を達成するため、請求項４記載の発明によれば、認証キーからの給電を受けて、認証キーの照合を行い、また、前記金庫錠を露呈可能にする動作を行うため、金庫側において給電用ケーブルや電源等を無くすることが可能となる。
【００８６】
さらに、上記第３の課題を達成するため、請求項５記載の発明によれば、利用者が所持するＩＤカードと引換えに金庫室で利用される認証キーを発行する必要がないので、複数の認証キーを発行することができる。また、退出するにあたっては、認証キーが未返却の場合には、報知手段を通じて未返却である旨を報知しているので、認証キーの返却し忘れを防止することができる。
【００８７】
また、上記第３の課題を達成するため、請求項６記載の発明によれば、利用者が所持するＩＤカードを一旦預ることなく、金庫室で利用される認証キーを発行するため、複数の認証キーを容易に発行管理することができる。また、退出するにあたっては、認証キーが未返却の場合には、報知手段を通じて未返却である旨を報知しているので、認証キーの返却し忘れを防止することができる。
【図面の簡単な説明】
【図１】金庫システム全体を示す概略平面図である。
【図２】金庫システム全体の電気的構成を示すブロック図である。
【図３】金庫システムの動作を説明するためのフローチャートである。
【図４】金庫システムの動作を説明するためのフローチャートである。
【図５】金庫装置を示す正面図である。
【図６】金庫装置の電気的構成を示すブロック図である。
【図７】金庫装置の動作を説明するためのフローチャートである。
【符号の説明】
１０  金庫室
１３  金庫入出扉
１３ａ  前室入出口
１９  貸金庫カード
２０  金庫
２２  金庫扉
２３  金庫錠
２３ｈ  鍵穴
３０  キー発行制御装置
３３  発行制御部
３４  記憶部
３８  電子キー発行ボックス
５０  退室カードリーダ
５２  扉ロック機構
５５  入室カードリーダ
５８  報知部
６０  カバーロック
６１  ベース部材
６２  カバー部材
６３  セット部
６４  施錠機構
６４ａ  ソレノイド
６５  送受信部
６５ｂ  スイッチ部
６６  金庫側制御部
６６ａ  ＩＤ記憶部
６８  受電部
７０  電子キー
７２  送受信部
７４  キー側制御部
７４ａ  認証ＩＤ記憶部
７６  電源部
７８  給電部
７９ａ〜７９ｃ  発光部
【図１】
2004360239.tif 000003
【図２】
2004360239.tif 000004
【図３】
2004360239.tif 000005
【図４】
2004360239.tif 000006
【図５】
2004360239.tif 000007
【図６】
2004360239.tif 000008
【図７】
2004360239.tif 000009